(57)【要約】 【課題】  シャットダウン処理の完了前に、誤って主電源コードが抜かれることを防止可能な画像処理装置、制御方法及びプログラムを提供する。【解決手段】  電源スイッチと発光部を有する画像処理装置であって、電源スイッチのオフに基づいて装置の第１の終了処理を開始する手段と、第１の終了処理の開始と共に、発光部の発光状態を第１の発光状態から第２の発光状態に変更する手段と、第１の終了処理に含まれる第２の終了処理が終了すると、発光部を第３の発光状態に変更する手段と、を設けた。【選択図】  図１
2018176676.tif 000002
【特許請求の範囲】
【請求項１】
電源スイッチと発光部を有する画像処理装置であって、
前記電源スイッチのオフに基づいて前記装置の第１の終了処理を開始する手段と、
前記第１の終了処理の開始と共に、前記発光部の発光状態を第１の発光状態から第２の発光状態に変更する手段と、
前記第１の終了処理に含まれる第２の終了処理が終了すると、前記発光部を第３の発光状態に変更する手段と、
を設けたことを特徴とする画像処理装置。
【請求項２】
さらに、前記第１の終了処理に含まれる第３の終了処理が終了すると、前記発光部の前記発光状態を第４の発光状態に変更する手段、
を設けたことを特徴とする請求項１に記載の画像処理装置。
【請求項３】
前記第１の発光状態は前記発光部が継続して点灯する状態であり、
前記第２の発光状態は前記発光部が点滅する状態であり、
前記第３の発光状態は前記発光部が消灯する状態である、
ことを特徴とする請求項２に記載の画像処理装置。
【請求項４】
前記第４の発光状態は、前記第２の発光状態における前記発光部の点滅周期より短い周期で点滅する状態である、
ことを特徴とする請求項３に記載の画像処理装置。
【請求項５】
前記第４の発光状態は、前記発光部が継続して点灯する状態である、
ことを特徴とする請求項３に記載の画像処理装置。
【請求項６】
前記第３の終了処理は、前記装置のＯＳ上で動作しているソフトウエア処理を終了する処理である、
ことを特徴とする請求項２に記載の画像処理装置。
【請求項７】
前記画像処理装置は、さらに、揮発性の主記憶装置と、不揮発性の補助記憶装置とを有し、
前記第２の終了処理は、前記主記憶装置に格納されているデータを前記補助記憶装置に退避させる処理である、
ことを特徴とする請求項１に記載の画像処理装置。
【請求項８】
前記画像処理装置は、さらに、前記装置の動作に係わる画像表示を行う表示部を有すると共に、通常電力状態と低消費電力状態との２つの電力モードを有し、
さらに、低消費電力状態にける前記電源スイッチのオフに基づいて、前記表示部に画像を表示する手段、
を設けたことを特徴とする請求項１に記載の画像処理装置。
【請求項９】
電源スイッチと発光部を有する画像処理装置の制御方法であって、
前記電源スイッチのオフに基づいて前記装置の第１の終了処理を開始する工程と、
前記第１の終了処理の開始と共に、前記発光部の発光状態を第１の発光状態から第２の発光状態に変更する工程と、
前記第１の終了処理に含まれる第２の終了処理が終了すると、前記発光部を第３の発光状態に変更する工程と、
を設けたことを特徴とする画像処理装置の制御方法。
【請求項１０】
コンピュータを請求項１乃至８のいずれか1項に記載された各手段として機能させるためのプログラム。
【発明の詳細な説明】
【技術分野】
【０００１】
本発明は、画像処理装置、画像処理装置の制御方法及びプログラムに関するものである。
【背景技術】
【０００２】
近年、画像処理装置、例えば、複写機やプリンタのような画像形成装置においても、装置を素早く起動するために、一般的なコンピュータなどでよく用いられているハイバネーションと呼ばれる機能を有している。
【０００３】
ハイバネーションとは、シャットダウン処理の一部であり、オペレーティングシステム（以下「ＯＳ」という。）に備わる機能の一つである。具体的には、電源を遮断する前に、主記憶装置が保持する内容を外部記憶装置、例えば、ハードディスク（以下「ＨＤＤ」という。）に退避させる機能である。それにより、次回の装置の起動を高速に行なうことが可能となる。
【０００４】
ユーザーが画像形成装置の電源を遮断する際に、主電源スイッチをオフすると、ハイバネーション機能が実行される。すると、装置の稼動状態等の画像データを表示する表示部の表示が消えるが、その後も、依然としてハイバネーション処理が継続している場合がある。そのため、ユーザーは装置の電源が遮断されたと勘違いし、電源プラグからＡＣ電源ケーブルを引き抜いてしまい、その結果、ハイバネーション処理の途中で電源が遮断されてしまう可能性があった。
【０００５】
なお、表示部の表示が消えてしまうのは、ＯＳが実行しているハイバネーション処理が終了する前に、ＯＳ上で動作している表示制御ソフトがハイバネーション処理より先に終了してしまうためである。このように、ハイバネーション処理の途中で装置の電源が遮断されると、ＨＤＤへの書き込み途中でＨＤＤへの供給電源が遮断されるため、高い確率でＨＤＤのセクタ不良などの不具合が発生することになる。
【０００６】
このような状況に鑑み、例えば特許文献１には、装置の動作を制御する制御部と、ユーザが装置の操作をするための操作部と、にそれぞれＬＣＤ（液晶表示部）コントローラを設けたデータ処理装置が開示されている。当該データ処理装置においては、装置が電源オフ状態に移行する際に、制御部のＬＣＤコントローラへの電源が遮断された後は、表示制御を操作部のＬＣＤコントローラに切り替えることによって表示を継続するものである。
【先行技術文献】
【特許文献】
【０００７】
【特許文献１】特開２０１１−１２３６８０号公報
【発明の概要】
【発明が解決しようとする課題】
【０００８】
しかしながら、上記特許文献１に記載のデータ処理装置では、制御部とは別に操作部にもＬＣＤコントローラを設ける必要があり、ハードウエアの複雑化、装置のコストアップを招くという課題があった。
【０００９】
本発明は、上記の課題を解決するためになされたものである。本発明の目的は、ハードウエアを複雑化することなく、シャットダウン処理の完了前に、誤って主電源コードが抜かれることを防止可能な画像処理装置、画像処理装置の制御方法及びプログラムを提供することである。
【課題を解決するための手段】
【００１０】
上記目的を達成する本発明の画像処理装置は以下の構成を備える。
電源スイッチと発光部を有する画像処理装置であって、前記電源スイッチのオフに基づいて前記装置の第１の終了処理を開始する手段と、前記第１の終了処理の開始と共に、前記発光部の発光状態を第１の発光状態から第２の発光状態に変更する手段と、前記第１の終了処理に含まれる第２の終了処理が終了すると、前記発光部を第３の発光状態に変更する手段と、を設けたことを特徴とする。
【発明の効果】
【００１１】
本発明によれば、画像処理装置の電源の遮断に基づき、第１の終了処理の開始と共に発光部の発光状態が変更され、さらに、第１の終了処理に含まれる第２の終了処理が終了すると、発光部の発光状態が変更される。これにより、すべての終了処理が完了する前に誤って装置の主電源コードが抜かれるのを防止することができる。
【図面の簡単な説明】
【００１２】
【図１】本発明の実施例１に係る画像形成装置の概略構成を示すブロック図である。
【図２】図１の画像形成装置の操作部の正面外観図である。
【図３】実施例１の電源遮断時の動作を説明するフローチャートである。
【図４】実施例１の電源遮断時の動作を説明する状態シーケンス図である。
【図５】実施例１の電源遮断時の動作を説明する状態シーケンス図である。
【図６】実施例２の電源遮断時の動作を説明するフローチャートである。
【図７】実施例２の電源遮断時の動作を説明する状態シーケンス図である。
【図８】実施例３の電源遮断時の動作を説明するフローチャートである。
【図９】実施例３の電源遮断時の動作を説明する状態シーケンス図である。
【図１０】実施例４の電源遮断時の動作を説明する状態シーケンス図である。
【発明を実施するための形態】
【００１３】
以下、本発明を実施するための形態について図面を用いて例示的に詳しく説明する。ただし、この実施の形態に記載されている構成要素はあくまで例示であり、この発明の範囲をそれらのみに限定する趣旨のものではない。
【００１４】
以下の各実施例においては、画像処理装置の一例として、複写機やプリンタのような画像処理装置に本発明を適用した例について説明する。
【実施例１】
【００１５】
図１は本発明の実施例１に係る画像処理装置101の概略構成を示すブロック図である。図1の画像処理装置101は主として、画像入力デバイスであるスキャナ部102、画像出力デバイスであるプリンタ部103、スキャナ部102及びプリンタ部103を制御して画像処理及び画像形成動作の制御などを行うコントローラ104からなる。一般に、スキャナ部102は原稿を読み取るための機能を持ち、プリンタ部103はコントローラ104から受けた画像データに基づいて画像を用紙上に形成する機能を持つ。なお、スキャナ部102、及び、プリンタ部103は、周知技術に基づいて種々の構成を採用することができるため、ここでは詳細な説明を省略する。
【００１６】
コントローラ104は、装置全体の制御を行うＣＰＵ105、および揮発性の主記憶装置と不揮発性の補助記憶装置を備える。主記憶装置は、例えば、ＣＰＵ105が動作するためのプログラムやデータを格納するＤＲＡＭ等のＲＡＭ106および、システムのブートプログラム等が格納されているＲＯＭ107を備えている。 不揮発性の補助記憶装置は、装置のオペレーティングシステム（以下、「ＯＳ」という。）や各種プログラム、及び画像データなどの種々のデータを格納する、例えば、ハードディスクドライブ（以下、「ＨＤＤ」という。）111を備えている。
【００１７】
また、コントローラ104は、ＬＡＮ（Local Area Network）やＵＳＢ（Universal Serial Bus）などを介して外部機器であるコンピュータ端末110と接続するための外部インターフェース109を備えている。
【００１８】
ＣＰＵ105は、主電源スイッチ116がオフされると、装置の各部への電源供給を遮断する処理（以下、「シャットダウン処理」という。）を行う。シャットダウン処理である終了処理には、ＯＳ上で動作しているソフトウエア処理を終了する処理と、ハイバネーション処理とが含まれる。
【００１９】
ソフトウエア処理は、コントローラ104により装置の各部を制御するための、ＯＳ上で動作しているものである。ハイバネーション処理とは、電源遮断時に、ＲＡＭ106に展開されているプログラムデータ及び、ＣＰＵ105がプログラムを実行するためにワークメモリとして確保している領域などを一括してＨＤＤ111へ退避する処理である。
【００２０】
ユーザインタフェース（ＵＩ）である操作部108は、画像処理装置101を操作するためのキー入力部113、発光部114、及び表示部115を有している。
発光部114は、装置の状態表示やエラー発生の報知を行うもので、例えば、複数のＬＥＤで構成される。以下、発光部114をＬＥＤ114と記す。表示部115は、ＣＰＵ105からの画像データに基づいて、画像処理装置の動作に係わる画像表示を行うもので、例えば、液晶表示部（ＬＣＤ）で構成される。以下、表示部115をＬＣＤ115と記す。
【００２１】
ＬＥＤ／電源制御部117は、キー入力部113の節電キーからの入力や主電源スイッチ116からの信号を受けて、ＬＥＤ114の発光状態を制御すると共に、装置内の各部への電源供給を制御する。ＤＣ電源供給部118は、外部の商用電源から直流電源を生成し、ＬＥＤ／電源制御部117からの指示に従い画像処理装置101の各部に直流電源を供給する。
【００２２】
図２は操作部108の正面外観図である。キー入力部113は、コピーの開始や中止を指示するスタート及びストップボタン、コピー部数などを指定するテンキー、画像処理装置のスリープ状態への移行を指示する節電キー201などを有している。画像処理装置は、通常電力状態と低消費電力状態、即ち、スリープ状態との少なくとも２つの電力モードを有する。スリープ状態とは、装置が所定時間使用されなかった場合などに、ジョブの受信や装置の復帰に必要な部分のみを除いて、周辺装置を含めた他の部分への通電を遮断した状態をいう。
【００２３】
ＬＥＤ114は複数、例えば３個のＬＥＤ202〜204で構成される。主電源ＬＥＤ202は、主電源スイッチ116がオン状態の時に点灯し、エラーＬＥＤ203はエラー発生時に点灯または点滅する。また、実行／メモリーＬＥＤ204はジョブを実行したり、外部インターフェース109を介してＵＳＢメモリーにアクセスしている時などに点灯または点滅するようになっている。これらＬＥＤの制御はＬＥＤ／電源制御部117により行なわれる。
【００２４】
ＬＣＤ115は、主電源スイッチ116のオフに応答してシャットダウン処理が行われている間は、例えば、図２に示すように、ＣＰＵ105から送られる画像データに基づいて「シャットダウン実行中です」との表示を行う。その後、ＣＰＵ105のソフトウエア処理が終了し、ＣＰＵ105からの画像データが停止すると、ＬＣＤ115には何も表示されなくなり、表示画面が暗くなる。
【００２５】
次に、図１に示した画像処理装置101において、通常電力状態において電源が遮断された際のコントローラ104の動作を、図３のフローチャート及び図４、図５の状態シーケンス図を参照して説明する。なお、以下の説明及び図面において、ステップをＳと記す。
【００２６】
図３のフローチャートにおいて、先ず、S301において、ＬＥＤ／電源制御部117は、時刻t1において、ユーザーによって主電源スイッチ116がオフされたことを検知する（YES、S301）。すると、ＬＥＤ／電源制御部117は、ＣＰＵ105に対して、主電源スイッチ116がオフされた旨を示す信号を送出する。
【００２７】
ＣＰＵ105はその信号を受けてシャットダウン処理を開始する（S302）。また同時に、S303において、ＬＥＤ／電源制御部117は、ユーザーにシャットダウン処理中であることを報知するために、主電源ＬＥＤ202の発光状態を点灯状態から点滅状態に変更する。
【００２８】
主電源ＬＥＤ202を点滅させる間隔としては、例えば、１秒間のオフと１秒間のオンとを繰り返すような、長い周期の点滅とする。これは、エラー発生時やジョブ実行時の点滅周期より長い周期の点滅とすることで、ユーザーに装置がシャットダウン処理中であることを視覚的に明示するためである。また、ＬＣＤ115には、シャットダウン処理実行中である旨の画面が表示される。
【００２９】
その後、時刻t2において、ＣＰＵ105はＯＳ上で動作している、ハイバネーション処理を除いたすべてのソフトウエア処理を終了させる（S304）。その時、画像表示を実行しているソフトウエア処理も終了するため、ＣＰＵ105はＬＣＤ115の表示を消す。このように、ハイバネーション処理を除いた、動作中のソフトウエア処理が終了すると、ＬＥＤ／電源制御部117は、ＣＰＵ105よりその旨の通知を受け、S305において、主電源ＬＥＤ202の発光状態を点滅状態から点灯状態に変更する。それにより、依然としてＯＳのハイバネーション処理は実行中であることをユーザーに報知する。
【００３０】
ここで、時刻t2で主電源ＬＥＤ202を点滅状態から点灯状態に変更するのは以下の理由による。即ち、時刻t2以降も、ソフトウエア処理中の１秒間オフ、１秒間オンというようなオフ時間が比較的長い点滅を継続すると、ＬＣＤ115の表示が消えているため、ユーザーが誤って装置の主電源コードを抜いてしまう恐れがあるためである。
【００３１】
次いで、時刻t3において、ＣＰＵ105はハイバネーション処理を終了する（S306）。すると、ＬＥＤ／電源制御部117は、ハイバネーション処理が終了した旨の通知をＣＰＵ105より受けて、ＤＣ電源供給部118へ電源供給停止の指示信号を送る。ＤＣ電源供給部118は、指示信号に基づき装置各部への電源供給を停止し、装置の電源を遮断する（S307）。従って、発光部114への電源供給も停止されるため、主電源ＬＥＤ202を含む発光部114のすべてのＬＥＤが消灯状態になる。
以上の動作は図４の状態シーケンス図に示される。
【００３２】
なお、本実施例では、S305において、ソフトウエア処理終了後、ハイバネーション処理が依然として実行中であることを示すために、時刻t2で、主電源ＬＥＤ202を点滅状態から点灯状態に変更することとした。それに代えて、時刻t2で、主電源ＬＥＤ202の点滅間隔をソフトウエア処理終了前の点滅間隔より短い間隔、例えば、0.5秒間オフ、0.5秒間オンとするように変更しても良い（図５参照）。その場合の別の例として、主電源ＬＥＤ202の点滅のオフ時間をオン時間より短い時間、例えば、0.5秒間オフ、1.0秒間オンとするように変更しても良い。または、時刻t2で、主電源ＬＥＤ202を消灯し、代わりに実行／メモリーＬＥＤ204を点灯するようにしてもよい。
【００３３】
以上説明した処理により、ユーザーは主電源ＬＥＤ202を含むＬＥＤ114のすべてのＬＥＤが消灯状態になったことで、ハイバネーション処理が終了し、安全に画像処理装置101のＡＣ電源コードを抜ける状態になったことを知ることができる。
【実施例２】
【００３４】
本発明の実施例２について図６のフローチャート及び図７の状態シーケンス図を用いて説明する。
【００３５】
実施例１では、ＬＣＤ115に画像が表示された稼動状態、即ち、通常電力状態で主電源スイッチ116がユーザーによってオフされることを想定した。実施例２では、画像処理装置101がスリープ状態であり、ＬＣＤ115に画像が表示されていない状態で、主電源スイッチ116がオフされることを想定している。なお、本実施例における画像処理装置101の構成は実施例１と同様である。
【００３６】
先ず、図６のS601において、ＬＥＤ／電源制御部117が、ユーザーによって主電源スイッチ116が時刻t1にオフされたことを検知すると（YES、S601）、ＣＰＵ105は画像処理装置101がスリープ状態にあるか否かを判定する（S602）。スリープ状態の場合は（YES、S60２）、ＬＣＤ115への電源供給が行われていない状態のため、ＣＰＵ105からの指示により、ＤＣ電源供給部118はＬＣＤ115への電源供給を開始する（S603）。そうすることで、例え画像処理装置101がスリープ状態でＬＣＤ115の表示が消えた状態であっても、主電源スイッチ116のオンに応答して再びＬＣＤ115の表示がなされる。
【００３７】
以降のS604〜S609の処理は実施例１における図３のS302〜S307の処理とそれぞれ同様のため、説明を省略する。以上の動作は図７の状態シーケンス図に示される。
【００３８】
本実施例では、ソフトウエア処理終了後の時刻t2で、S605において、主電源ＬＥＤ202を点滅状態から点灯状態に変更することとした。それに代えて、実施例1と同様に、時刻t2で、主電源ＬＥＤ202の点滅間隔をソフトウエア処理終了前の点滅間隔より短い間隔、例えば、0.5秒間オフ、0.5秒間オンとするように変更しても良い。その場合の別の例として、主電源ＬＥＤ202の点滅のオフ時間をオン時間より短い時間、例えば、0.5秒間オフ、1.0秒間オンとするように変更しても良い。または、時刻t2で、主電源ＬＥＤ202を消灯し、代わりに実行／メモリーＬＥＤ204を点灯するようにしてもよい。
【００３９】
以上説明した処理により、本実施例においても、実施例１と同様な効果が得られる。即ち、ユーザーは主電源ＬＥＤ202を含むＬＥＤ114のすべてのＬＥＤが消灯状態になったことで、ハイバネーション処理が終了し、安全に画像処理装置101のＡＣ電源コードを抜ける状態になったことを知ることができる。
【実施例３】
【００４０】
本発明の実施例３について図８のフローチャート及び図９の状態シーケンス図を用いて説明する。
【００４１】
本実施例においては、スリープ状態で主電源スイッチがオフされることを想定している点は実施例２と同様である。しかし、本実施例においては、主電源スイッチがオフされると、再びＬＣＤ115の表示を行うことはせず、主電源ＬＥＤ202の点滅のオフ時間をオン時間より短い値に設定する点が実施例２と異なる。なお、本実施例における画像処理装置101の構成は実施例１と同様である。
【００４２】
即ち、図８のS801において、ＬＥＤ／電源制御部117が、ユーザーによって主電源スイッチ116が時刻t1にオフされたことを検知すると（YES、S801）、ＣＰＵ105は画像処理装置101がスリープ状態か否かを判定する（S802）。スリープ状態でない場合は（NO、S802）、S803に進み実施例1と同様の処理（図３のS303〜S307）を行う。スリープ状態の場合は（YES、S802）、再びＬＣＤ115の表示を行うことはせず、主電源ＬＥＤ202の点滅のオフ時間をオン時間より短い時間、例えば、0.5秒間のオフ、1.0秒間のオンに設定して点滅を開始する（S806）。
【００４３】
その後、時刻t2においてソフトウエア処理が終了した後も同じ点滅状態を保持し、ハイバネーション処理が終了する時刻t3まで継続する。これは点滅の周期が1.5秒と比較的長くても、点滅のオフ時間よりオン時間を長くすることで、ユーザーに画像処理装置101がシャットダウン処理中であることを視覚的に明示できるためである。
【００４４】
この様に、オフ時間をオン時間に比べて短くすることで、点灯の間隔は長いまま、ユーザーが誤って主電源コードを抜いてしまう可能性を減らすことができる。
【００４５】
本実施例では、時刻t2でソフトウエア処理が終了した後も、主電源ＬＥＤ202を同じ点滅状態が継続するようにした。それに代えて、実施例２と同様に、時刻t2でソフトウエア処理が終了した時点おいて、主電源ＬＥＤ202を点滅状態から点灯状態に変更するようにしても良い。または、主電源ＬＥＤ202の点滅間隔をソフトウエア処理終了前の点滅間隔より短い間隔、例えば、0.5秒間オフ、0.5秒間オンとするように変更しても良い。または、主電源ＬＥＤ202を消灯し、代わりに実行／メモリーＬＥＤ204を点灯するようにしてもよい。
【００４６】
以上説明した処理により、本実施例においても、実施例１、実施例２と同様な効果が得られる。即ち、ユーザーは主電源ＬＥＤ202を含むＬＥＤ114のすべてのＬＥＤが消灯状態になったことで、ハイバネーション処理が終了し、安全に画像処理装置101のＡＣ電源コードを抜ける状態になったことを知ることができる。
【００４７】
なお、実施例１、実施例２においても、本実施例と同様に、継続的に時刻t1からt3までの間、主電源ＬＥＤ202の点滅のオフ時間をオン時間より短い時間、例えば、0.5秒間のオフ、1.0秒間のオンとした点滅を行っても良い。
【実施例４】
【００４８】
上記各実施例おいては、シャットダウン処理の開始と共に、ＬＥＤ114の発光状態を点灯状態から点滅状態に変更するようにした。本実施例においては、ＬＥＤ114のうちの１つのＬＥＤ、例えば、主電源ＬＥＤ202が複数の色（例えば、緑、黄、赤）を発光可能であり、シャットダウン処理に応じて発光色を変更するようにしたものである。
【００４９】
本実施例を図１０の状態シーケンス図を参照して説明する。なお、本実施例における画像処理装置101の構成は実施例１と同様である。
【００５０】
先ず、時刻t1前の画像処理装置101の稼動状態、即ち、通常電力状態においては、主電源ＬＥＤ202は、例えば、緑で点灯されている。時刻t1で主電源スイッチ116がオフされると、ＬＥＤ／電源制御部117からの信号に応答して、ＣＰＵ105はシャットダウン処理を開始する。同時にＬＥＤ／電源制御部117は主電源ＬＥＤ202の発光色を、例えば、黄に変更する。その後、時刻t2でソフトウエア処理が終了すると、ＬＥＤ／電源制御部117は、ＣＰＵ105よりその旨の通知を受け、主電源ＬＥＤ202の発光色を、例えば、赤に変更する。
【００５１】
時刻t3でハイバネーション処理が終了すると、ＬＥＤ／電源制御部117は、ＣＰＵ105よりその旨の通知を受け、主電源ＬＥＤ202を消灯する。これにより発光部114のすべてのＬＥＤが消灯状態になる。
【００５２】
本実施例では、ソフトウエア処理終了後、ハイバネーション処理が依然として実行中であることを示すために、主電源ＬＥＤ202の発光色を黄から赤に変更することとした。それに代えて、ソフトウエア処理終了後、ハイバネーション処理が終了するまで主電源ＬＥＤ202の発光色を黄のままとしても良い。また、主電源ＬＥＤ202の発光色を変更すると共に、上記実施例１〜実施例３と同様に、点滅するようにしても良い。
【００５３】
以上説明した処理により、本実施例においても、実施例１〜実施例３と同様な効果が得られる。即ち、ユーザーは主電源ＬＥＤ202を含むＬＥＤ114のすべてのＬＥＤが消灯状態になったことで、ハイバネーション処理が終了し、安全に画像処理装置101のＡＣ電源コードを抜ける状態になったことを知ることができる。
【００５４】
以上説明したように、各実施例において、画像処理装置及び画像処理装置の制御方法、プログラムについて説明した。しかし、本発明は、これら実施例に限定されるものではなく、各実施例に記載された構成を自由に組み合わせたものも、その範囲に含まれるものとする。
【００５５】
また、本発明を複写機、プリンタ等の画像処理装置について適用した例を説明したが、本発明これに限らず、例えば、パーソナルコンピュータやサーバー、各種家電など、ハイバネーション機能を有するすべての画像処理装置に適用可能である。
【００５６】
(その他の実施例) 
本発明は、上述の実施例の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路(例えば、ASIC)によっても実現可能である。
【符号の説明】
【００５７】
１０１            画像処理装置
１０５            ＣＰＵ
１１４            ＬＥＤ
１１５            ＬＣＤ
１１６            主電源スイッチ
１１７            ＬＥＤ／電源制御部
【図１】
2018176676.tif 000003
【図２】
2018176676.tif 000004
【図３】
2018176676.tif 000005
【図４】
2018176676.tif 000006
【図５】
2018176676.tif 000007
【図６】
2018176676.tif 000008
【図７】
2018176676.tif 000009
【図８】
2018176676.tif 000010
【図９】
2018176676.tif 000011
【図１０】
2018176676.tif 000012